(57)【要約】【課題】  本発明は左右の床躯体が地震で異なる前後方向に揺れ動いても、三角形状の隙間が生じるのを確実に防止して、安全に使用することができるとともに、端部床目地プレートと中央部の床目地プレートの強度が同じになるように、容易で、かつ安価に製造することができ、かつ左右の床躯体が不等沈下しても、段差が生じるのを効率よく阻止することができる床用目地装置を得るにある。【解決手段】  左右の床躯体が地震で異なる前後方向に揺れ動いても、両端部に脚部を有する両側部の床目地プレートが両端部に脚部を有する中央床目地プレートの下部へもぐり込めとともに、もぐり込んだ両側部の床目地プレートの脚部間に位置していた両側部の補助床目地プレートが該両側部の床目地プレートより外方に突出して隙間が生じるのを防止することが出来るように床用目地装置を構成している。【選択図】  図１
2011169013.tif 000002
【特許請求の範囲】
【請求項１】
目地部を介して設けられた左右の床躯体の一方の側壁を有する目地部側の床躯体に形成された、両側にガイドレールを備える目地プレート支持凹部と、前記左右の床躯体の他方の側壁を有する目地部側の床躯体の床面あるいは反目地部側が傾斜面に形成された目地プレートスライド支持凹部と、前記両側のガイドレールに該ガイドレールに沿って移動できるようにそれぞれ取付けられた台車と、この台車に脚部を有する後端部が支持され、脚部を有する先端部が他方の床躯体の床面あるいは目地プレートスライド支持凹部にスライド移動可能に支持された両側部の床目地プレートと、この両側部の床目地プレート間を覆う脚部を有する後端部が前記目地プレート支持凹部に支持され、脚部を有する先端部が他方の床躯体の床面あるいは目地プレートスライド支持凹部にスライド移動可能に支持された２個以上の中央床目地プレートと、この２個以上の中央床目地プレートの両側部と前記両側部の床目地プレートと当接する部位に形成された、前記左右の床躯体が異なる前後方向に揺れ動いた場合に、２個以上の中央床目地プレートの下部へ両側部の床目地プレートをもぐり込ませるもぐり込み手段と、前記両側のガイドレールの外側端部に後端部が枢支され、先端部が前記両側部の床目地プレートの脚部内へ入り込む、該両側部の床目地プレートが前後方向に移動した時に生ずる隙間を覆うことができ、前記目地プレートスライド支持凹部にスライド可能に支持される両側部の補助床目地プレートと、この両側部の補助床目地プレートの先端部を常時前記他方の床躯体の側壁に当接するように付勢する付勢装置とを備えたことを特徴とする床用目地装置。
【請求項２】
両側部の床目地プレートの中央床目地プレートと当接する部分の側壁の上部寄りの部位に、該中央床目地プレートの下部へスムーズにもぐり込むための複数個のローラーが取付けられていることを特徴とする請求項１記載の床用目地装置。
【発明の詳細な説明】
【技術分野】
【０００１】
本発明は目地部を介して設けられた側壁を有する左右の床躯体間の目地部を覆う床用目地装置に関する。
【背景技術】
【０００２】
従来、左右の床躯体が異なる前後方向に地震で揺れ動くと、端部床目地プレートと床躯体の側壁との間に三角形状の隙間が生じて危険になるというという欠点があった。
この欠点を解消するために、端部床目地プレートに補助床プレート収納凹部を形成し、該補助床プレート収納凹部内に端部床目地プレートの移動時に生じる隙間を覆うようにスライド移動する補助床プレートを設けることが考えられている。
【０００３】
このような補助床プレートを端部床目地プレートに設けると、左右の床躯体が異なる前後方向に地震で揺れ動いても、三角形状の隙間が生じて危険になるのを防止することができるが、端部床目地プレートに補助床プレート収納凹部を形成し、内部に補助床プレートを設けるので、端部床目地プレートの強度が中央部の床目地プレートに比べて小さくなるという欠点があるとともに、端部床目地プレートの構造が複雑になってコスト高になるという欠点があった。
【０００４】
また、左右の床躯体に不等沈下が生じた場合、左右の床躯体の床面と端部床目地プレートおよび中央部の床目地プレートとの間に段差が生じて危険になるという欠点があった。
【先行技術文献】
【特許文献】
【０００５】
【特許文献１】特開２００４−３４６５０２
【発明の概要】
【発明が解決しようとする課題】
【０００６】
本発明は以上のような従来の欠点に鑑み、左右の床躯体が地震で異なる前後方向に揺れ動いても、三角形状の隙間が生じるのを確実に防止して、安全に使用することができるとともに、端部床目地プレートと中央部の床目地プレートの強度が同じになるように、容易で、かつ安価に製造することができ、かつ左右の床躯体が不等沈下しても、段差が生じるのを効率よく阻止することができる床用目地装置を提供することを目的としている。
【０００７】
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、本発明は目地部を介して設けられた左右の床躯体の一方の側壁を有する目地部側の床躯体に形成された、両側にガイドレールを備える目地プレート支持凹部と、前記左右の床躯体の他方の側壁を有する目地部側の床躯体の床面あるいは反目地部側が傾斜面に形成された目地プレートスライド支持凹部と、前記両側のガイドレールに該ガイドレールに沿って移動できるようにそれぞれ取付けられた台車と、この台車に脚部を有する後端部が支持され、脚部を有する先端部が他方の床躯体の床面あるいは目地プレートスライド支持凹部にスライド移動可能に支持された両側部の床目地プレートと、この両側部の床目地プレート間を覆う脚部を有する後端部が前記目地プレート支持凹部に支持され、脚部を有する先端部が他方の床躯体の床面あるいは目地プレートスライド支持凹部にスライド移動可能に支持された２個以上の中央床目地プレートと、この２個以上の中央床目地プレートの両側部と前記両側部の床目地プレートと当接する部位に形成された、前記左右の床躯体が異なる前後方向に揺れ動いた場合に、２個以上の中央床目地プレートの下部へ両側部の床目地プレートをもぐり込ませるもぐり込み手段と、前記両側のガイドレールの外側端部に後端部が枢支され、先端部が前記両側部の床目地プレートの脚部内へ入り込む、該両側部の床目地プレートが前後方向に移動した時に生ずる隙間を覆うことができ、前記目地プレートスライド支持凹部にスライド可能に支持される両側部の補助床目地プレートと、この両側部の補助床目地プレートの先端部を常時前記他方の床躯体の側壁に当接するように付勢する付勢装置とで床用目地装置を構成している。
【発明の効果】
【００１０】
以上の説明から明らかなように、本発明にあっては次に列挙する効果が得られる。
（１）請求項1により、両側部の補助床目地プレートおよび付勢装置で、左右の床躯体が地震で異なる前後方向へ揺れ動いても、目地部に三角形状の隙間が生じるのを阻止することができる。
したがって、安全に使用することができる。
（２）前記（１）により、両側部の床目地プレートの後端部と先端部に脚部が形成されているので、脚部間に両側部の補助床目地プレートを収納させるができる。
したがって、両側部の床目地プレートが両側部の補助床目地プレートの収納部を形成することによる強度が低下するのを確実に防止できる。
（３）前記（１) により、先端部と後端部に脚部を形成した両側部の床目地プレートと、２個以上の中央床目地プレートを用いているので、左右の床躯体が地震等で不等沈下した場合に、両側部の床目地プレートや２個以上の中央床目地プレートの底面が目地プレートスライド支持凹部の目地部側端部と衝突するのを効率よく阻止し、段差が生じるのを効率よく阻止することができる。
（４）請求項２も前記（１）〜（３）と同様な効果が得られるとともに、両側部の床目地プレートと当接する部位の中央床目地プレートを複数個のローラーによって、地震で左右の床躯体が異なる前後方向に揺れ動いた場合に、よりスムーズに両側部の床目地プレートを中央床目地プレートの下部へもぐり込ませることができる。
【図面の簡単な説明】
【００１１】
【図１】本発明を実施するための第１の形態の平面図。
【図２】図1の２−２線に沿う断面図。
【図３】図1の３−３線に沿う断面図。
【図４】本発明を実施するための第１の形態の目地プレート支持凹部の正面図。
【図５】本発明を実施するための第１の形態の目地プレート支持凹部の平面図。
【図６】本発明を実施するための第１の形態の目地プレートスライド支持凹部の平面図。
【図７】本発明を実施するための第１の形態の台車の説明図。
【図８】本発明を実施するための第１の形態の両側部の床目地プレートの説明図。
【図９】本発明を実施するための第１の形態の中央床目地プレートの説明図。
【図１０】本発明を実施するための第１の形態の補助床目地プレートの取付け状態の説明図。
【図１１】本発明を実施するための第１の形態の目地部が狭くなった動作説明図。
【図１２】本発明を実施するための第１の形態の目地部が広くなった動作説明図。
【図１３】本発明を実施するための第１の形態の異なる前後方向に揺れ動いた動作説明図。
【図１４】本発明を実施するための第２の形態の平面図。
【図１５】図１４の１５−１５線に沿う断面図。
【図１６】本発明を実施するための第２の形態の補助床目地プレートの取付け状態の説明図。
【図１７】本発明を実施するための第３の形態の平面図。
【図１８】図１７の１８−１８線に沿う断面図。
【図１９】図１７の１９−１９線に沿う断面図。
【図２０】本発明を実施するための第４の形態の平面図。
【図２１】図２０の２１−２１線に沿う断面図。
【図２２】図２０の２２−２２線に沿う断面図。
【図２３】本発明を実施するための第５の形態の平面図。
【図２４】図２３の２４−２４線に沿う断面図。
【図２５】本発明を実施するための第５の形態の床目地プレートの説明図。
【図２６】本発明を実施するための第6の形態の平面図。
【図２７】図２６の２７−２７線に沿う断面図。
【図２８】本発明を実施するための第６の形態の床目地プレートの説明図。
【発明を実施するための形態】
【００１２】
以下、図面に示す本発明を実施するための形態により、本発明を詳細に説明する。
【００１３】
図１ないし図１３に示す本発明を実施するための第１の形態において、１は目地部２を介して設けられた側壁３、３、３、３を有する左右の床躯体４、４間を車両等の大きな荷重が加わっても安全に通行することができる本発明の床用目地装置で、この床用目地装置１は前記左右の床躯体４、４の一方の床躯体４の目地部側に形成された両側にガイドレール５、５を備える目地プレート支持凹部６と、前記左右の床躯体４、４の他方の床躯体４の目地部側に反目地部側が傾斜面７に形成された、前記目地部２の長さ寸法Ｌとほぼ同じ長さ寸法の目地プレートスライド支持凹部８と、前記両側のガイドレール５、５に該ガイドレール５、５に沿って移動できるように取付けられた、ガイドレール５、５の長さ寸法のほぼ半分の長さ寸法の台車９、９と、この台車９、９に脚部１０、１０を有する後端部が、該台車９、９に固定された先端部が後方へ傾斜する係止ピン１１、１１、１１、１１に係合部１２、１２、１２、１２が係止するように支持され、脚部１３、１３を有する先端部が他方の床躯体４の目地プレートスライド支持凹部８にスライド移動可能に支持された、先端部にカバープレート１４、１４を備える両側部の床目地プレート１５、１５と、この両側部の床目地プレート１５、１５間を覆う脚部１３、１３を有する後端部が前記目地プレート支持凹部６に中央部と内側端部の係合部１２、１２、１２、１２が係合するように固定された係止ピン１１、１１、１１、１１と係止するように支持され、脚部材１３、１３を有する先端部が他方の床躯体４の目地プレートスライド支持凹部８にスライド移動可能に支持された先端部にカバープレート１４、１４を備える２個以上、本発明の実施の形態では２個の中央床目地プレート１６、１６と、この２個の中央床目地プレート１６、１６の両側部と、前記両側部の床目地プレート１５、１５と当接する部位に形成された、前記左右の床躯体４、４が異なる前後方向に地震で揺れ動いた場合に、２個の中央床目地プレート１６、１６の下部へ両側部の床目地プレート１５、１５をもぐり込ませる傾斜面１７と複数個のローラー１８とからなるもぐり込み手段１９、１９と、前記両側のガイドレール５、５の外側端部に固定された枢支ピン挿入孔２０が形成された支持台２１、２１に後端部が枢支ピン挿入孔２０、２０に枢支ピン２２、２２が挿入された状態で枢支され、先端部が前記両側部の床目地プレート１５、１５の脚部１０、１３、１０、１３内へ入り込む、該両側部の床目地プレート１５、１５が前後方向に移動した時に生ずる隙間を覆うことができる、前記目地プレートスライド支持凹部８にスライド移動可能に支持された台形状の両側部の補助床目地プレート２３、２３と、この両側部の補助床目地プレート２３、２３の先端部を常時前記他方の床躯体４の側壁３、３に当接するように付勢する付勢装置２４、２４とで構成されている。
【００１４】
前記ガイドレール５、５は長方形箱状で、上面が前記目地プレート支持凹部６の上面よりもわずかに低い位置となるように一方の床躯体４の目地部側に凹部２５、２５を形成し、該凹部２５、２５に固定されている。
【００１５】
前記台車９、９は前記ガイドレール５、５内を移動する、上面が前記目地プレート支持凹部６の上面と同一面となる台車本体２６、２６と、この台車本体２６、２６の底面に取付けられた複数個のローラー２７、２７と、前記台車本体２６、２６の両側面に取付けられた、前記ガイドレール５、５の内壁面を転動する複数個のローラー２８、２８と、前記台車本体２６、２６の両端部寄りの部位に固定された係止ピン１１、１１とで構成されている。
【００１６】
前記付勢装置２４、２４は支持台２１、２１に支持された両側部の補助床目地プレート２３、２３の枢支ピン２２、２２の先端部に固定されたアーム２９、２９と、このアーム２９、２９の先端部を両側部の補助床目地プレート２３、２３を側壁３、３に当接するように付勢できるように一端部が固定され、他端部が目地部側の一方の床躯体４、４に固定されたコイルスプリング３０、３０が介装されたワイヤー３１、３１と、前記両側部の床目地プレート１５、１５を常時側壁３、３、３、３に当接するように付勢する側部床目地プレート付勢装置３２、３２とで構成されている。
【００１７】
上記構成の床用目地装置１は左右の床躯体４、４の側壁３、３、３、３間を両側部の床目地プレート１５、１５と中央床目地プレート１６、１６が並列された状態で目地部２を覆っている。
【００１８】
この時、両側部の補助床目地プレート２３、２３は付勢装置２４、２４の付勢力に抗して両側部の床目地プレート１５、１５の脚部１０、１３、１０、１３間で、かつ目地プレートスライド支持凹部８に支持された状態となっている。
【００１９】
地震で左右の床躯体４、４が異なる左右方向に揺れ動き、目地部２が狭くなると、図１１に示すように両側部の床目地プレート１５、１５および中央床目地プレート１６、１６の先端部は目地プレートスライド支持凹部８より他方の床躯体４の床面上へスライド移動して、その揺れ動きを吸収する。
【００２０】
地震で目地部２が広くなると、図１２に示すように両側部の床目地プレート１５、１５および中央床目地プレート１６、１６の先端部は目地プレートスライド支持凹部８内をスライド移動して、その揺れ動きを吸収することができる。
【００２１】
地震で左右の床躯体４、４が異なる前後方向に揺れ動いた場合、図１３に示すように他方の床躯体４の側壁３で押し圧された側部の床目地プレート１５はガイドレール５に沿って前後方向にスライド移動して、中央床目地プレート１６を押し上げながら下部へもぐり込む。
【００２２】
この時、側部の補助床目地プレート２３も付勢装置２４の付勢力に抗して、側部の床目地プレート１５と同様に側壁３によって中央床目地プレート１６側へ押し付けられるため、ガイドレール５に取付けられている側部の補助床目地プレート２３は枢支ピン２２を支点として先端部が回動するため、生じる三角形状の隙間に側部の補助床目地プレート２３が位置して、その隙間を覆う。
【００２３】
揺れ動きが停止すると、側部床目地プレート付勢装置３２、３２および付勢装置２４、２４の付勢力で、元の位置へ自動的に戻る。
【００２４】
[発明を実施するための異なる形態]
次に、図１４ないし図２８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２５】
図１４ないし図１６に示す本発明を実施するための第２の形態において、前記本発明を実施するための第１の形態と主に異なる点は、三日月形状の両側部の補助床目地プレート２３Ａ、２３Ａを用いた点で、このような両側部の補助床目地プレート２３Ａ、２３Ａを用いて構成した床用目地装置１Ａにしても、前記本発明を実施するための第１の形態と同様な作用効果が得られる。
【００２６】
図１７ないし図１９に示す本発明を実施するための第３の形態において、前記本発明を実施するための第１の形態と主に異なる点は、両側部の補助床目地プレート２３、２３の先端部側を常時側壁３、３に当接するように付勢するワイヤー３３、３３を常時巻き取るワイヤー巻き取り装置３４、３４を用いた付勢装置２４Ａ、２４Ａを用いるとともに、常時両側部の床目地プレート１５、１５を側壁３、３側へ押し圧する側部床目地プレート付勢装置３２Ａ、３２Ａを用いた点で、このように構成した床用目地装置１Ｂにしても、前記本発明を実施するための第１の形態と同様な作用効果が得られる。
【００２７】
図２０ないし図２２に示す本発明を実施するための第４の形態において、前記本発明を実施するための第１の形態と主に異なる点は、両側部の床目地プレート１５、１５と中央部床目地プレート１６、１６の先端部の脚部１３、１３、１３、１３を他方の床躯体４の目地部側の床面にスライド移動可能に設置した点で、このように構成した床用目地装置１Ｃにしても、前記本発明を実施するための第１の形態と同様な作用効果が得られる。
【００２８】
図２３ないし図２５に示す本発明を実施するための第５の形態において、前記本発明を実施するための第１の形態と主に異なる点は、先端部の底面に別部材で形成した脚部１３Ａ、１３Ａを固定した両側部の床目地プレート１５Ａ、１５Ａおよび中央部床目地プレート１６Ａ、１６Ａを用いた点で、このような両側部の床目地プレート１５Ａ、１５Ａおよび中央部床目地プレート１６Ａ、１６Ａを用いて構成した床用目地装置１Ｄにしても、前記本発明を実施するための第１の形態と同様な作用効果が得られる。
【００２９】
図２６ないし図２８に示す本発明を実施するための第６の形態において、前記本発明を実施するための第１の形態と主に異なる点は、先端部を傾斜面１７に沿う傾斜面３５、３５に形成した両側部の床目地プレート１５Ｂ、１５Ｂおよび中央部床目地プレート１６Ｂ、１６Ｂを用いるとともに、中央部床目地プレート１６Ｂ、１６Ｂの後部中央部側の底面に目地部が狭くなったときに該中央部床目地プレート１６Ｂ、１６Ｂの後部を押し上げるガイドスロープ３６，３６を設け、両側部の補助床目地プレート２３、２３の後部側の底面に目地部が狭くなったときに両側部の床目地プレート１５Ｂ、１５Ｂの後部を押し上げるガイドスロープ３６，３６を設けた点で、このような両側部の床目地プレート１５Ｂ、１５Ｂ、中央部床目地プレート１６Ｂ、１６Ｂおよび両側部の補助床目地プレート２３、２３を用いて構成した床用目地装置１Ｅにしても、前記本発明を実施するための第１の形態と同様な作用効果が得られる。
【００３０】
なお、前記本発明の各実施の形態では、一方の床躯体に形成した目地プレート支持凹部６、他方の床躯体に形成した目地プレートスライド支持凹部８に直接両側部の床目地プレートや中央部床目地プレートを設置する物について説明したが、本発明はこれに限らず、目地プレート支持凹部６を覆う支持金具を用いたり、目地プレートスライド支持凹部８を覆うスライド支持金具あるいはスライドできるスノコを設置することも考えられる。
【００３１】
また、付勢装置２４、２４Ａは両側部の補助床目地プレート２３、２３の先端部を常時前記他方の床躯体４の側壁３、３に当接するように付勢できればよいので、押バネや引きばね等を用いた構成のものであってもい。さらに、側部床目地プレート付勢装置３２、３２Ａも、両側部の床目地プレート１５、１５を常時側壁３、３、３、３に当接するように付勢できるものであれば押バネや引きばね等を用いた構成のものであってもよい。
【００３２】
なお、両側部の補助床目地プレート２３、２３が内側に移動した場合に生じるガイドレー５、５の上部の隙間を、係止ピン１１、１１が移動できる長孔を形成したカバーで覆うことにより、該隙間を小さくすることができる。
【産業上の利用可能性】
【００３３】
本発明は目地部を介して設けられた側壁を有する左右の床躯体間を接続する床用目地装置を製造する産業で利用される。
【符号の説明】
【００３４】
１、１Ａ、１Ｂ、１Ｃ、１Ｄ、１Ｅ：床用目地装置、
２：目地部、        ３：側壁、
４：床躯体、          ５：ガイドレール、  
６：目地プレート支持凹部、    ７：傾斜面、
８：目地プレートスライド支持凹部、
９：台車、        １０：脚部、
１１：係止ピン、      １２：係合部、
１３：脚部、        １４：カバープレート
１５、１５Ａ、１５Ｂ：側部の床目地プレート、  
１６、１６Ａ、１６Ｂ：中央床目地プレート、
１７：傾斜面、      １８：ローラー、
１９：もぐり込み手段、    ２０：枢支ピン挿入孔、
２１：支持台、      ２２：枢支ピン、
２３、２３Ａ：側部の補助床目地プレート、
２４、２４Ａ：付勢装置、    ２５：凹部、
２６：台車本体、      ２７：ローラー、
２８：ローラー、      ２９：アーム、
３０：コイルスプリング、    ３１：ワイヤー、
３２、３２Ａ：側部床目地プレート付勢装置、
３３：ワイヤー、      ３４：ワイヤー巻き取り装置。
【図１】
2011169013.tif 000003
【図２】
2011169013.tif 000004
【図３】
2011169013.tif 000005
【図４】
2011169013.tif 000006
【図５】
2011169013.tif 000007
【図６】
2011169013.tif 000008
【図７】
2011169013.tif 000009
【図８】
2011169013.tif 000010
【図９】
2011169013.tif 000011
【図１０】
2011169013.tif 000012
【図１１】
2011169013.tif 000013
【図１２】
2011169013.tif 000014
【図１３】
2011169013.tif 000015
【図１４】
2011169013.tif 000016
【図１５】
2011169013.tif 000017
【図１６】
2011169013.tif 000018
【図１７】
2011169013.tif 000019
【図１８】
2011169013.tif 000020
【図１９】
2011169013.tif 000021
【図２０】
2011169013.tif 000022
【図２１】
2011169013.tif 000023
【図２２】
2011169013.tif 000024
【図２３】
2011169013.tif 000025
【図２４】
2011169013.tif 000026
【図２５】
2011169013.tif 000027
【図２６】
2011169013.tif 000028
【図２７】
2011169013.tif 000029
【図２８】
2011169013.tif 000030